(57)【要約】  互いに異なるサーバーを有する異なる知的財産情報システム間のデータ交換または画面連動を実施することにより、不要な開発費用及び運営費用を節減できる方法及びシステムを提供する。  この方法は、互いに異なるサーバーで運営される少なくとも第１及び第２のシステムを連係する。この方法は、第１の知的財産情報システムによって、照会情報の識別子を第２の知的財産情報システムに提供する工程と、第２の知的財産情報システムによって、識別子に対応する情報へのリンクまたは識別子に対応するページを開く工程とを含む。
2008535119.tif 000002
【特許請求の範囲】
【請求項１】
第１の知的財産情報システムによって、照会情報の識別子を第２の知的財産情報システムに提供する工程と、
第２の知的財産情報システムによって、識別子に対応する情報へのリンクを提供するか、または識別子に対応するページを開く工程と、
を含む、互いに異なるサーバーで運営される少なくとも第１及び第２の異なる知的財産関連システムの連係方法。
【請求項２】
第１の知的財産情報システムによって、照会情報の識別子を第２の知的財産情報システムに提供する工程と、
第２の知的財産情報システムによって、識別子に対応する情報またはページの位置情報を第１の知的財産情報システムに提供する工程と、
第１の知的財産情報システムのサーバーの保存ユニットに第２の知的財産情報システムから提供された情報またはページの位置情報を保存する工程と、
第１の知的財産情報システムのサーバーの保存ユニットに保存された情報またはページの位置情報を提供するよう第２の知的財産情報システムに照会する工程と、
第２の知的財産情報システムによって、情報またはページの位置情報に対応する情報へのリンクを提供するか、または位置情報に対応するページを開く工程と、
を含む、互いに異なるサーバーで運営される少なくとも第１及び第２の異なる知的財産関連システムの連係方法。
【請求項３】
第１の知的財産情報システムによって、第１の知的財産情報システムまたは第１の知的財産情報システムのサーバーの識別子を、第２の知的財産情報システムまたは第２の知的財産情報システムのサーバーに提供する工程と、
第２の知的財産情報システムによって、識別子に基づいて第１の知的財産情報システムまたは第１の知的財産情報システムのサーバーを認証する工程と、
を含むことを特徴とする請求項１または２に記載された方法。
【請求項４】
第１の知的財産情報システムは、出願人または弁理士の知的財産情報システムであることを特徴とする請求項１または２に記載された方法。
【請求項５】
第２の知的財産情報システムは、特許庁の知的財産情報システムまたは公開された知的財産を提供する知的財産検索システムであることを特徴とする請求項１または２に記載された方法。
【請求項６】
照会情報の識別子は、国コード、権利区分、連続した番号種別、連続した番号、または、これらの組み合わせを含むことを特徴とする請求項１または２に記載された方法。
【請求項７】
照会情報は、知的財産の公開公報または登録公報原文であることを特徴とする請求項１または２に記載された方法。
【請求項８】
照会情報は、第２の知的財産情報システムの照会情報の識別子に対応する知的財産の出願番号、出願日及び発明の名称を提供する画面であることを特徴とする請求項１または２に記載された方法。
【発明の詳細な説明】
【技術分野】
【０００１】
本発明は、互いに異なるサーバーを有する異なる知的財産情報システム間でデータ交換または画面連係を実施して、不要な開発費用及び運営費用を節減できる方法及びシステムに関する。
【背景技術】
【０００２】
本発明と関連される技術分野である知的財産情報システムに対する先行特許として、韓国特許公開第２００２−００９４５４１号公報は、企業内で特許出願のための研究員の指示、弁理士の選定及び明細書原案の検討などを管理するシステムを開示している。
従来、出願人または弁理士が開発して運営する知的財産情報システムと、特許庁または商用の特許検索データベースが別途に存在した。
これらは、異なる情報を管理し、各々の機能を極大化するために別々に運営されている。
出願人または弁理士が運営する知的財産情報システムは、出願人または弁理士によって作成された発明の要約及び出願を含む詳細な情報を提供している。しかしながら、各システムは、公開された出願、審査で引用された引用例及び他人の特許出願及び特許を含む知的財産権に関する情報がないか不足している。従って、この情報を得るためには、他の知的財産情報システム、例えば特許庁の知的財産情報システムに別途にアクセスして検索する必要があり、ユーザにとって不便である。
【発明の開示】
【発明が解決しようとする課題】
【０００３】
本発明の目的は、互いに異なるサーバーを備えた異なる知的財産情報システム間の相互データ交換または画面連動を実現して不要な開発費用及び運営費用を節減できる方法及びシステムを提供することである。
【課題を解決するための手段】
【０００４】
本発明の第１の態様は、第１の知的財産情報システムによって、照会情報の識別子を第２の知的財産情報システムに提供する工程と、第２の知的財産情報システムによって、その識別子に対応する情報にリンクするかまたはその識別子に対応するページを開く工程と、を含む互いに異なるサーバーで運営される少なくとも第１及び第２の異なる知的財産関連システムの連係方法を提供する。
本発明の第２の態様は、第１の知的財産情報システムよって、照会情報の識別子を第２の知的財産情報システムに提供する工程と、第２の知的財産情報システムよって、その識別子に対応する情報またはページの位置情報を第１の知的財産情報システムに提供する工程と、第１の知的財産情報システムのサーバーの保存ユニットに第２の知的財産情報システムから提供された情報またはページの位置情報を保存する工程と、第１の知的財産情報システムのサーバーの保存ユニットに保存された情報またはページの位置情報を提供するよう第２の知的財産情報システムに照会する工程と、第２の知的財産情報システムによって、情報またはページの位置情報に対応する情報へのリンクを提供するか、または位置情報に対応したページを開く工程と、を含む互いに異なるサーバーで運営される少なくとも第１及び第２の異なる知的財産関連システムの連係方法を提供する。
【０００５】
したがって、一つの知的財産情報システムのユーザは別途の接続手続を行うことなく、他のシステムで提供される情報及び関連する画面情報を便利に利用することができる。
本発明の図１乃至図４に示された知的財産情報システムＡ１０１、２０１、３０１、４０１と知的財産情報システムＢ１０２、２０２、３０２、４０２は、異なるサーバー（即ち、サーバーＡ、サーバーＢ）で運営され、異なる情報を管理しかつ異なる画面構成を有する。好ましくは、知的財産情報システムＡは、企業及び研究所の出願人または弁理士によって運営されるシステムであって、発明提案、出願原案及び出願のためのデータ及びファイル管理を行う。知的財産情報システムＢは、一国の特許庁及び公開された知的財産権検索システムによって運営される。知的財産情報システムＢが公開後の発明の情報検索システムである場合、ユーザは、情報を照会するために、公開情報を別途サーバーに保存したり情報を照会するためのページまたは原文などを別途に構築する必要はなく、知的財産情報システムＡを介して、知的財産情報システムＢのページまたは原文の位置情報を利用することによって、知的財産情報システムＢで提供される情報を知的財産情報システムＡで便利に照会することができる。
【発明を実施するための最良の形態】
【０００６】
以下、本発明の例示的な実施例を添付の図面を参照して詳細に説明する。
簡潔かつ明りょう化のため、この技術分野での周知事項については説明を行わない。
図１は、本発明の第１の実施例に係る互いに連係した知的財産情報システムを示す。
知的財産情報システムＡ１０１と知的財産情報システムＢ１０２は、異なるサーバー（サーバーＡ、サーバーＢ）で運営されるシステムである。知的財産情報システムＡ１０１は、知的財産情報システムＢ１０２に、自身を同定するためのシステム識別子（ＩＤ）、照会情報の識別子（ＩＤ）及び照会画面の識別子（ＩＤ）を提供する（１１１）。知的財産情報システムＢ１０２は、システム識別子（ＩＤ）に基づいて知的財産情報システムＡ１０１の認証を行い、照会情報を有するページまたは原文を提供する（１１２）。
照会情報の識別子（ＩＤ）は、国コード、権利区分、連続した番号種別、連続した番号、または、これらの組み合わせで構成されることが好ましい。
照会画面は、原文または書誌情報を含む画面であることが好ましい。複数の案件が選択された場合には、照会画面は、各案件の基本的な書誌情報及び代表図を含む選択された特許を全て表示する画面である。
【０００７】
図２は、本発明の第２の実施例に係る互いに連係した知的財産情報システムを示す。
知的財産情報システムＡ２０１と知的財産情報システムＢ２０２は、異なるサーバーで運営されるシステムである。知的財産情報システムＡ２０１は、知的財産情報システムＢ２０２に自身を同定するためのシステム識別子（ＩＤ）を提供する（２１２）。
知的財産情報システムＢ２０２は、システム識別子（ＩＤ）に基づいて知的財産情報システムＡ２０１の認証を行い、その結果、知的財産情報システムＡ２０１は、以後接続が切れるまでは知的財産情報システムＢ２０２に認証されている状態を維持する（２１１）。知的財産情報システムＡ２０１は、照会情報識別子（ＩＤ）及び照会画面識別子（ＩＤ）を知的財産情報システムＢ２０２に提供する（２２２）。知的財産情報システムＢ２０２は、照会情報識別子（ＩＤ）に対応する照会画面を知的財産情報システムＡ２０１に提供する（２２３）。
照会情報の識別子（ＩＤ）は、国コード、権利区分、連続した番号種別、連続した番号、または、これらの組み合わせで構成されることが好ましい。
照会画面は、原文または書誌情報を含む画面であることが好ましい。複数の特許案件が選択された場合、照会画面は、各案件の基本的な書誌情報及び代表図を含む選択された特許を全て表示する画面である。
【０００８】
図３は、本発明の第３実施例に係る互いに連係した知的財産情報システムを示す。
知的財産情報システムＡ３０１と知的財産情報システムＢ３０２は、異なるサーバーで運用されるシステムである。知的財産情報システムＡ３０１は、知的財産情報システムＢ３０２に、自身を同定するためのシステム識別子（ＩＤ）、照会情報識別子（ＩＤ）及び照会画面識別子（ＩＤ）を提供する（３１１）。知的財産情報システムＢ３０２は、システム識別子（ＩＤ）に基づいて知的財産情報システムＡ３０１の認証を行い、照会情報識別子（ＩＤ）に対応するページまたは原文の位置情報を、知的財産情報システムＡ３０１に提供する（３１３）。知的財産情報システムＡ３０１は、位置情報を知的財産情報システムＡのサーバー保存ユニットに保存し、知的財産情報システムＢ３０２に対して位置情報を提供するよう照会する（３２２）。知的財産情報システムＢ３０２は、対応ページまたは原文を知的財産情報システムＡ３０１に提供する（３２３）。
これにより、知的財産情報システムＢ３０２が、照会される毎に、照会情報識別子（ＩＤ）に対応するページまたは原文情報を検索する頻度を低減することができ、したがって、サーバーの負荷を軽減することができる。
照会情報の識別子（ＩＤ）は、国コード、権利区分、連続した番号種別、連続した番号、または、これらの組み合わせで構成されることが好ましい。
照会画面は、原文または書誌情報を含む画面であることが好ましい。複数の案件が選択された場合、照会画面は、各案件の基本的な書誌情報及び代表図を含む選択された特許を全て表示する画面である。
【０００９】
図４は、本発明の第４実施例に係る互いに連係した知的財産情報システムを示す。
知的財産情報システムＡ４０１と知的財産情報システムＢ４０２は、異なるサーバーで運用されるシステムである。知的財産情報システムＡ４０１は、自身を同定するためのシステム識別子（ＩＤ）を知的財産情報システムＢ４０２に提供する（４１２）。知的財産情報システムＢ４０２は、システム識別子（ＩＤ）に基づいて知的財産情報システムＡ４０１の認証を行い、知的財産情報システムＡ４０１は、以後接続が切れるまで知的財産情報システムＢ４０２に認証されている状態を維持する（４１１）。知的財産情報システムＡ４０１は、知的財産情報システムＢ４０２に照会情報識別子（ＩＤ）及び照会画面識別子（ＩＤ）を提供する（４２１）。知的財産情報システムＢ４０２は、照会情報識別子（ＩＤ）に対応するページまたは原文の位置情報を知的財産情報システムＡ４０１に提供する（４２３）。知的財産情報システムＡ４０１は、位置情報をサーバーの保存ユニットに保存し、かつ知的財産情報システムＢ４０２に対し、知的財産情報システムＡ４０１に保存されている位置情報を提供するよう照会する（４３２）。知的財産情報システムＢ４０２は、ページまたは原文を知的財産情報システムＡ４０１に提供する（４３３）。
【００１０】
これにより、知的財産情報システムＢ４０２が、照会される毎に、照会情報識別子（ＩＤ）に対応するページまたは原文情報を検索する頻度を低減することができ、したがって、サーバーの負荷を軽減することができる。
照会情報の識別子（ＩＤ）は、国コード、権利区分、連続した番号種別、連続した番号、または、これらの組み合わせで構成されることが好ましい。
照会画面は、原文または書誌情報を含む画面であることが好ましい。複数の案件が選択された場合、照会画面は、各案件の基本的な書誌情報及び代表図を含む選択された特許の全て表示を行う画面である。
【産業上の利用可能性】
【００１１】
上記のシステムによって、出願後公開または登録された知的財産権の原文情報及び審査情報を照会することができる。加えて、出願人の知的財産権に関連する先行特許出願及び特許を、他のシステム、すなわち特許庁システムにアクセスすることなく照会し、番号照会で検索できる、従って、ユーザの利便性が増大し、かつ開発費用及びサーバーの運営費用を節減することができる。
特に、公開された知的財産情報は、出願人または弁理士の知的財産情報システムと特許庁または公開された知的財産権を提供するための知的財産検索システムとの連係により、公開された知的財産に関する書誌情報を別途保存したり或いは原文を照会する画面を別途に実装することなく、企業及び研究所の出願人または弁理士の知的財産情報システムで検索することができる。
本発明をその例示的な実施例に関連して説明したが、当業者には、特許請求の範囲で規定する本発明の範囲を逸脱することなく種々の変形や細部の変更をなし得ることが理解されよう。
【図面の簡単な説明】
【００１２】
【図１】本発明の第１実施例に係る互いに連係した知的財産情報システムを示す。
【図２】本発明の第２実施例に係る互いに連係した知的財産情報システムを示す。
【図３】本発明の第３実施例に係る互いに連係した知的財産情報システムを示す。
【図４】本発明の第１実施例に係る互いに連係した知的財産情報システムを示す。
【図１】
2008535119.tif 000003
【図２】
2008535119.tif 000004
【図３】
2008535119.tif 000005
【図４】
2008535119.tif 000006
【国際調査報告】
2008535119.tif 000007